(57)【要約】ブラジャでは、ブラジャの着用者を少なくとも部分的に包囲するように構成された見ごろ部分を含む。見ごろ部分は、ブラジャの着用者を少なくとも部分的に包囲するように構成された胴体用バンドを含み、一対の乳房用カップは、第１の乳房用カップと第２の乳房用カップとを含む。一対の乳房用カップは、着用者の乳房をサポートするように構成される。ブラジャは、一対の乳房用カップの下方周辺に隣接して身ごろ部分に接着されたアンダーバスト支持体を更に含む。
2021503568.tif 000002
【特許請求の範囲】
【請求項１】
ブラジャであって：
前記ブラジャの着用者を少なくとも部分的に包囲するように構成された身ごろ部分であって、前記ブラジャの着用者を少なくとも部分的に包囲するように構成される胴体用バンドと、第１の乳房用カップと第２の乳房用カップとを有し前記着用者の乳房をサポートするように構成された一対の乳房用カップとを備える、前記身ごろ部分と；
前記一対の乳房用カップの下方周辺に隣接して前記身ごろ部分に接着されたアンダーバスト支持体と；を備える、
ブラジャ。
【請求項２】
前記アンダーバスト支持体は、前記第１の乳房用カップの下方周辺に隣接する第１のアンダーバスト支持体要素と、前記第２の乳房用カップの下方周辺に隣接する第２のアンダーバスト支持体要素とを備える、
請求項１に記載のブラジャ。
【請求項３】
前記アンダーバスト支持体は、前記身ごろ部分へ直に接着されたアンダーワイヤを備える、
請求項１又は請求項２に記載のブラジャ。
【請求項４】
前記アンダーバスト支持体は、アンダーワイヤケーシングを備える、
請求項１又は請求項２に記載のブラジャ。
【請求項５】
前記アンダーワイヤケーシングは、ニット生地でできたチューブを備える、
請求項４に記載のブラジャ。
【請求項６】
前記アンダーワイヤケーシングは、織り生地でできたチューブを備える、
請求項４に記載のブラジャ。
【請求項７】
前記アンダーワイヤケーシングの外面は、前記身ごろ部分の内面に接着する、
請求項４乃至請求項６のいずれか１項に記載のブラジャ。
【請求項８】
前記アンダーワイヤケーシングの内面は、緩衝面を備える、
請求項４乃至請求項７のいずれか１項に記載のブラジャ。
【請求項９】
前記緩衝面は、浮き柄を備える、
請求項８に記載のブラジャ。
【請求項１０】
前記アンダーワイヤケーシングの最大伸びは５％未満又は５％である、
請求項４乃至請求項９のいずれか１項に記載のブラジャ。
【請求項１１】
前記アンダーワイヤケーシングは、外側生地層と内側生地層とを備え、
前記外側生地層と前記内側生地層は、前記外側生地層と前記内側生地層との間にチャネルを画成し、
前記外側生地層と前記内側生地層は、前記アンダーワイヤケーシングの内側端で互いにつながる、
請求項４乃至請求項１０のいずれか１項に記載のブラジャ。
【請求項１２】
前記外側生地層と前記内側生地層とは、前記内側端で互いに溶接される、
請求項１１に記載のブラジャ。
【請求項１３】
前記外側生地層と前記内側生地層とは、前記内側端で互いに接着される、
請求項１１に記載のブラジャ。
【請求項１４】
前記外側生地層と前記内側生地層とは、前記内側端で互いに縫合される、
請求項１１に記載のブラジャ。
【請求項１５】
前記外側生地層と前記内側生地層とは、前記アンダーワイヤケーシングの外側端で連続する、
請求項１１に記載のブラジャ。
【請求項１６】
前記アンダーバスト支持体は、接着剤で前記身ごろ部分に接着する、
請求項１乃至請求項１５のいずれか１項に記載のブラジャ。
【請求項１７】
前記接着剤は、反応性接着剤、熱硬化性接着剤、又は熱可塑性樹脂の少なくとも１つを備える、
請求項１６に記載のブラジャ。
【請求項１８】
前記接着剤は、シリコーン、ポリウレタン、又はシアノアクリレートの少なくとも１つを備える、
請求項１６に記載のブラジャ。
【請求項１９】
前記身ごろ部分は、前記着用者の脇下周りに配置されるように構成されたサイドパネルを備える、
請求項１乃至請求項１８のいずれか１項に記載のブラジャ。
【請求項２０】
前記身ごろ部分は、バックパネルを備える、
請求項１乃至請求項１９のいずれか１項に記載のブラジャ。
【請求項２１】
前記一対の乳房用カップの上端周りの前記身ごろ部分と、バックパネルとにつながれる肩紐を更に備え、
前記肩紐は、少なくとも部分的に前記着用者の肩にわたり延在するように構成される、
請求項１乃至請求項２０のいずれか１項に記載のブラジャ。
【請求項２２】
ブラジャの身ごろ部分を提供するステップであって、前記身ごろ部分は、第１の乳房用カップと第２の乳房用カップとを有する一対の乳房用カップを備える、前記提供するステップと；
アンダーバスト支持体を、前記一対の乳房用カップの下方周辺に隣接して前記身ごろ部分に接着するステップと；を備える、
方法。
【請求項２３】
アンダーバスト支持体を、前記一対の乳房用カップの下方周辺に隣接して前記身ごろ部分に接着する前記ステップは：
前記第１の乳房用カップの下方周辺に隣接して第１のアンダーバスト支持体要素を接着するステップと；
前記第２の乳房用カップの下方周辺に隣接して第２のアンダーバスト支持体要素を接着するステップと；を備える、
請求項２２に記載の方法。
【請求項２４】
アンダーバスト支持体を、前記身ごろ部分に接着する前記ステップは、アンダーワイヤを前記身ごろ部分へ直に接着するステップを備える、
請求項２２に記載の方法。
【請求項２５】
アンダーバスト支持体を、前記身ごろ部分に接着する前記ステップは、アンダーワイヤケーシングを前記身ごろ部分に接着するステップを備える、
請求項２２又は請求項２３に記載の方法。
【請求項２６】
前記アンダーバスト支持体を、前記身ごろ部分に接着する前記ステップは、前記アンダーバスト支持体を、反応性接着剤、熱硬化性接着剤、又は熱可塑性樹脂の少なくとも１つを用いて前記身ごろ部分に接着するステップを備える、
請求項２２乃至請求項２５のいずれか１項に記載の方法。
【請求項２７】
前記アンダーバスト支持体を、前記身ごろ部分に接着する前記ステップは、前記アンダーバスト支持体を、シリコーン、ポリウレタン、又はシアノアクリレートの少なくとも１つを用いて、前記身ごろ部分に接着するステップを備える、
請求項２２乃至請求項２５のいずれか１項に記載の方法。
【請求項２８】
ブラジャの身ごろ部分を提供するステップであって、前記身ごろ部分は、第１の乳房用カップと第２の乳房用カップとを有する一対の乳房用カップを備える、前記提供するステップと；
アンダーワイヤケーシングを、前記一対の乳房用カップの下方周辺に隣接して前記身ごろ部分に取り付けるステップであって、前記アンダーワイヤケーシングの最大伸びは５％未満又は５％である、前記取り付けるステップと；を備える、
方法。
【請求項２９】
アンダーワイヤケーシングの外側生地層を、前記アンダーワイヤケーシングの内側生地層へ前記アンダーワイヤケーシングの内側端で取り付けるステップを備え、
前記外側生地層と前記内側生地層は、前記外側生地層と前記内側生地層との間にチャネルを画成する、
請求項２８に記載の方法。
【請求項３０】
前記外側生地層を、前記内側生地層へ前記アンダーワイヤケーシングの前記内側端で取り付ける前記ステップは、前記外側生地層を、前記内側生地層へ、前記内側端で溶接するステップを備える、
請求項２９に記載の方法。
【請求項３１】
前記外側生地層を、前記内側生地層へ前記アンダーワイヤケーシングの前記内側端で取り付ける前記ステップは、前記外側生地層を、前記内側生地層へ、前記内側端で接着するステップを備える、
請求項２９に記載の方法。
【請求項３２】
前記外側生地層を、前記内側生地層へ前記アンダーワイヤケーシングの前記内側端で取り付ける前記ステップは、前記外側生地層を、前記内側生地層へ、前記内側端で縫合するステップを備える、
請求項２９に記載の方法。
【発明の詳細な説明】
【技術分野】
【０００１】
［関連出願の相互参照］
本願は、２０１７年１１月２０日に出願された米国仮特許出願第６２／５８８，４９４号の優先権の利益を請求し、その内容は参照により本願に組み込まれる。
【０００２】
本開示は、ブラジャに関する。より具体的には、本開示は、ブラジャに取り付けられたアンダーワイヤ及びアンダーワイヤケーシングに関する。
【背景技術】
【０００３】
ブラジャ（すなわち、ブラ）のカップの下方周辺を整形及びサポート（支持）するアンダーワイヤ及びアンダーワイヤケーシングは、当該技術分野で長く知られている。アンダーワイヤは、ほぼＵ字形を成し、金属ワイヤ又は被覆金属ワイヤを含んでよいが、数多くの異なる材料、例えばプラスチック他のポリマー材料等でできていてもよい。これらのアンダーワイヤは、特にブラジャ面内においては、バストをサポートするよう剛性が十分でなければならず、しかも着用者の身体に概ね倣うよう十分に柔軟でなければならない。アンダーワイヤケーシングは、使用時にアンダーワイヤを格納するが、これまではブラジャに縫い着けられていた。
【発明の概要】
【０００４】
本開示は、継目ではなく、例えば接着剤を用いて、ブラジャへ取り付けられるアンダーバスト支持体について述べる。アンダーバスト支持体は、アンダーワイヤ、アンダーワイヤケーシング、予め収容されたアンダーワイヤ、又は他の種類の支持体を含んでもよい。
【０００５】
態様によっては、ブラジャは、ブラジャの着用者を少なくとも部分的に包囲するように構成された身ごろ部分を含み、身ごろ部分は、ブラジャの着用者を少なくとも部分的に包囲するように構成された胴体用バンドを含み、ブラジャは、第１の乳房用カップと第２の乳房用カップとを有する一対の乳房用カップを更に含み、一対の乳房用カップは、着用者の乳房をサポートするように構成される。ブラジャは、一対の乳房用カップの下方周辺に隣接して身ごろ部分に接着されるアンダーバスト支持体を更に含む。
【０００６】
先の態様は、以下の特徴のいくつか又はすべてを含んでもよく、以下のどの特徴も含まなくてもよい。アンダーバスト支持体は、第１の乳房用カップの下方周辺に隣接する第１のアンダーバスト支持体要素と、第２の乳房用カップの下方周辺に隣接する第２のアンダーバスト支持体要素とを含んでよい。アンダーバスト支持体は、身ごろ部分へ直に接着されたアンダーワイヤを含んでよい。アンダーバスト支持体要素はアンダーワイヤケーシングを含んでよい。アンダーワイヤケーシングは、ニット生地でできたチューブを含んでよい。アンダーワイヤケーシングは、織り生地でできたチューブを含んでよい。アンダーワイヤケーシングの外面は、身ごろ部分の内面へ貼り付けることができる。アンダーワイヤケーシングの内面は、緩衝（クッション）面を含んでよい。緩衝面は浮き柄（フロートパターン）を含んでよい。アンダーワイヤケーシングの最大伸びは５％未満又は５％であってよい。アンダーワイヤケーシングは、外側生地層と内側生地層とを含んでよく、外側生地層と内側生地層は、外側生地層と内側生地層との間にチャネルを画成し、外側生地層と内側生地層は、アンダーワイヤケーシングの内側端で互いにつながれる。外側生地層と内側生地層とを内側端で互いに溶接できる。外側生地層と内側生地層とを内側端で互いに接着できる。外側生地層と内側生地層とを内側端で互いに縫合できる。外側生地層と内側生地層とが、アンダーワイヤケーシングの外側端で連続してもよい。アンダーバスト支持体を、接着剤で身ごろ部分へ接着できる。使用する接着剤は、反応性接着剤、熱硬化性接着剤、熱可塑性樹脂、又はこれらの組合せを含んでよい。使用する接着剤は、シリコーン、ポリウレタン、シアノアクリレート、又はこれらの組合せを含んでよい。身ごろ部分は、着用者の脇下周りに配置されるサイドパネル（布切れ）を含んでよい。身ごろ部分は、バックパネルを含んでよい。ブラジャは、一対の乳房用カップの上端周りの身ごろ部分とバックパネルとにつながる肩紐を含んでよく、肩紐は、少なくとも部分的に着用者の肩にわたってもよい。
【０００７】
特定の態様は：ブラジャの身ごろ部分を提供するステップであって、身ごろ部分は、第１の乳房用カップと第２の乳房用カップとを有する一対の乳房用カップを含む、前記提供するステップと；アンダーバスト支持体を、一対の乳房用カップの下方周辺に隣接して身ごろ部分へ接着するステップと；を含む方法を包含する。
【０００８】
先の態様は、以下の特徴のいくつか又はすべてを含んでもよく、以下のどの特徴も含まなくてもよい。アンダーバスト支持体を、一対の乳房用カップの下方周辺に隣接して身ごろ部分へ接着するステップは：第１の乳房用カップの下方周辺に隣接する第１のアンダーバスト支持体要素を接着するステップと；第２の乳房用カップの下方周辺に隣接する第２のアンダーバスト支持体要素を接着するステップと；を含んでよい。アンダーバスト支持体を身ごろ部分へ接着するステップは、アンダーワイヤを身ごろ部分へ直に接着するステップを含んでよい。アンダーバスト支持体を身ごろ部分へ接着するステップは、アンダーワイヤケーシングを身ごろ部分へ接着するステップを含んでよい。アンダーバスト支持体を身ごろ部分へ接着するステップは、反応性接着剤、熱硬化性接着剤、又は熱可塑性樹脂の少なくとも１つを用いて、アンダーバスト支持体を身ごろ部分へ接着するステップを含んでよい。アンダーバスト支持体を身ごろ部分へ接着するステップは、シリコーン、ポリウレタン、又はシアノアクリレートの少なくとも１つを用いて、アンダーバスト支持体を身ごろ部分へ接着するステップを含んでよい。
【０００９】
特定の態様は：ブラジャの身ごろ部分を提供するステップであって、身ごろ部分は、第１の乳房用カップと第２の乳房用カップとを有する一対の乳房用カップを含む、前記提供するステップと；アンダーワイヤケーシングを、一対の乳房用カップの下方周辺に隣接して身ごろ部分へ取りつけるステップであって、アンダーワイヤケーシングの最大伸びは５％未満又は５％である、前記取りつけるステップと；を含む方法を包含する。
【００１０】
先の態様は、以下の特徴のいくつか又はすべてを含んでもよく、以下のどの特徴も含まなくてもよい。本方法は、アンダーワイヤケーシングの外側生地層を、アンダーワイヤケーシングの内側端でアンダーワイヤケーシングの内側生地層へ取り付けるステップであって、外側生地層と内側生地層は、外側生地層と内側生地層との間にチャネルを画成する、前記取り付けるステップを含む。外側生地層を、アンダーワイヤケーシングの内側端で内側生地層へ取り付けるステップは、外側生地層を、内側端で内側生地層へ溶接するステップを含んでよい。外側生地層を、アンダーワイヤケーシングの内側端で内側生地層へ取り付けるステップは、外側生地層を、内側端で内側生地層へ接着するステップを含んでよい。外側生地層を、アンダーワイヤケーシングの内側端で内側生地層へ取り付けるステップは、外側生地層を内側端で内側生地層へ縫合するステップを含んでよい。
【００１１】
第１の態様において、ブラジャは、
ブラジャの着用者を少なくとも部分的に包囲するように構成された見ごろ部分であって、見ごろ部分はブラジャの着用者を少なくとも部分的に包囲するように構成された胴体用バンドを備え、一対の乳房用カップは第１の乳房用カップと第２の乳房用カップとを有し、一対の乳房用カップは着用者の乳房をサポートするように構成される、前記見ごろ部分と；
一対の乳房用カップの下方周辺に隣接して身ごろ部分に接着されたアンダーバスト支持体と；を備える。
【００１２】
第１の態様による第２の態様において、アンダーバスト支持体は、第１の乳房用カップの下方周辺に隣接する第１のアンダーバスト支持体要素と、第２の乳房用カップの下方周辺に隣接する第２のアンダーバスト支持体要素とを備える。
【００１３】
第１の態様又は第２の態様による第３の態様において、アンダーバスト支持体は、身ごろ部分へ直に接着されたアンダーワイヤを備える。
【００１４】
第１の態様又は第２の態様による第４の態様において、アンダーバスト支持体は、アンダーワイヤケーシングを備える。
【００１５】
第４の態様による第５の態様において、アンダーワイヤケーシングは、ニット生地でできたチューブを備える。
【００１６】
第４の態様による第６の態様において、アンダーワイヤケーシングは、織り生地でできたチューブを備える。
【００１７】
第４の態様乃至第６の態様のいずれかによる第７の態様において、アンダーワイヤケーシングの外面は、身ごろ部分の内面に接着する。
【００１８】
第４の態様乃至第７の態様のいずれかによる第８の態様において、アンダーワイヤケーシングの内面は、緩衝面を備える。
【００１９】
第８の態様による第９の態様において、緩衝面は、浮き柄を備える。
【００２０】
第４の態様乃至第９の態様のいずれかによる第１０の態様において、アンダーワイヤケーシングの最大伸びは５％未満又は５％である。
【００２１】
第４の態様乃至第１０の態様のいずれかによる第１１の態様において、アンダーワイヤケーシングは、外側生地層と内側生地層とを備え、外側生地層と内側生地層は、外側生地層と内側生地層との間にチャネルを画成し、外側生地層と内側生地層は、アンダーワイヤケーシングの内側端で互いにつながる。
【００２２】
第１１の態様による第１２の態様において、外側生地層と内側生地層とは、内側端で互いに溶接される。
【００２３】
第１１の態様による第１３の態様において、外側生地層と内側生地層とは、内側端で互いに接着される。
【００２４】
第１１の態様による第１４の態様において、外側生地層と内側生地層とは、内側端で互いに縫合される。
【００２５】
第１１の態様による第１５の態様において、外側生地層と内側生地層とは、アンダーワイヤケーシングの外側端で連続する。
【００２６】
第１の態様乃至第１５の態様のいずれかによる第１６の態様において、アンダーバスト支持体は、接着剤で身ごろ部分に接着する。
【００２７】
第１６の態様による第１７の態様において、接着剤は、反応性接着剤、熱硬化性接着剤、又は熱可塑性樹脂の少なくとも１つを備える。
【００２８】
第１６の態様による第１８の態様において、接着剤は、シリコーン、ポリウレタン、又はシアノアクリレートの少なくとも１つを備える。
【００２９】
第１の態様乃至第１８の態様のいずれかによる第１９の態様において、身ごろ部分は、着用者の脇下周りに配置されるように構成されたサイドパネルを備える。
【００３０】
第１の態様乃至第１９の態様のいずれかによる第２０の態様において、身ごろ部分は、バックパネルを備える。
【００３１】
第１の態様乃至第２０の態様のいずれかによる第２１の態様において、ブラジャは、一対の乳房用カップの上端周りの身ごろ部分と、バックパネルとにつながれた肩紐を更に備え、肩紐は、少なくとも部分的に着用者の肩にわたり延在するように構成される。
【００３２】
第２２の態様において、方法は、ブラジャの身ごろ部分を提供するステップであって、身ごろ部分は、第１の乳房用カップと第２の乳房用カップとを有する一対の乳房用カップを備える、前記提供するステップと、アンダーバスト支持体を、一対の乳房用カップの下方周辺に隣接して身ごろ部分に接着するステップと；を備える。
【００３３】
第２２の態様による第２３の態様において、アンダーバスト支持体を一対の乳房用カップの下方周辺に隣接して身ごろ部分に接着するステップは、第１の乳房用カップの下方周辺に隣接して第１のアンダーバスト支持体要素を接着するステップと、第２の乳房用カップの下方周辺に隣接して第２のアンダーバスト支持体要素を接着するステップとを備える。
【００３４】
第２２の態様による第２４の態様において、アンダーバスト支持体を身ごろ部分に接着するステップは、アンダーワイヤを身ごろ部分へ直に接着するステップを備える。
【００３５】
第２２の態様又は第２３の態様による第２５の態様において、アンダーバスト支持体を、身ごろ部分に接着するステップは、アンダーワイヤケーシングを身ごろ部分に接着するステップを備える。
【００３６】
第２２の態様乃至第２５の態様のいずれかによる第２６の態様において、アンダーバスト支持体を、身ごろ部分に接着するステップは、アンダーバスト支持体を、反応性接着剤、熱硬化性接着剤、又は熱可塑性樹脂の少なくとも１つを用いて身ごろ部分に接着するステップを備える。
【００３７】
第２２の態様乃至第２５の態様のいずれかによる第２７の態様において、アンダーバスト支持体を、身ごろ部分に接着するステップは、アンダーバスト支持体を、シリコーン、ポリウレタン、又はシアノアクリレートの少なくとも１つを用いて、身ごろ部分に接着するステップを備える。
【００３８】
第２８の態様において、方法は、ブラジャの身ごろ部分を提供するステップであって、身ごろ部分は第１の乳房用カップと第２の乳房用カップとを有する一対の乳房用カップを備える、前記提供するステップと、アンダーワイヤケーシングを一対の乳房用カップの下方周辺に隣接して身ごろ部分に取り付けるステップであって、アンダーワイヤケーシングの最大伸びは５％未満又は５％である、前記取り付けるステップとを備える。
【００３９】
第２８の態様による第２９の態様において、方法は、アンダーワイヤケーシングの外側生地層を、アンダーワイヤケーシングの内側生地層へアンダーワイヤケーシングの内側端で取り付けるステップを備え、外側生地層と内側生地層は、外側生地層と内側生地層との間にチャネルを画成する。
【００４０】
第２９の態様による第３０の態様において、外側生地層を、内側生地層へアンダーワイヤケーシングの内側端で取り付けるステップは、外側生地層を、内側生地層へ、内側端で溶接するステップを備える。
【００４１】
第２９の態様による第３１の態様において、外側生地層を、内側生地層へアンダーワイヤケーシングの内側端で取り付けるステップは、外側生地層を、内側生地層へ、内側端で接着するステップを備える。
【００４２】
第２９の態様による第３２の態様において、外側生地層を、内側生地層へアンダーワイヤケーシングの内側端で取り付けるステップは、外側生地層を、内側生地層へ、内側端で縫合するステップを備える。
【００４３】
本開示で述べる主題の１つ又は複数の実施の詳細を、添付の図面及び以下の説明に記載する。主題の他の特徴、態様、及び利点は、説明、図面、及び特許請求の範囲から明らかになろう。
【図面の簡単な説明】
【００４４】
【図１】図１は、ブラジャの例の、一部が内側部分を示す正面図である。
【００４５】
【図２】図２Ａは、アンダーワイヤの例と２本のアンダーワイヤケーシングの例の正面図である。図２Ｂは、一部分がアンダーワイヤケーシングの例内にあるアンダーワイヤの例の正面図である。
【００４６】
【図３】図３Ａ及び図３Ｂは、一部分がアンダーワイヤケーシング内にあるアンダーワイヤの例の部分斜視図である。
【００４７】
【図４】図４は、アンダーワイヤケーシングの例の部分斜視図である。
【００４８】
【図５】図５は、ブラジャを組み立てる方法の例のフローチャートである。
【図６】図６は、ブラジャを組み立てる方法の例のフローチャートである。
【００４９】
様々な図面における同様の参照番号及び名称は、同様の要素を示す。
【発明を実施するための形態】
【００５０】
本開示は、ブラジャの乳房用カップの下端周辺でブラジャに取り付けられてブラジャの着用者へサポートを提供するアンダーバスト支持体について述べる。アンダーバスト支持体は、アンダーワイヤ、アンダーワイヤケーシング、アンダーワイヤとアンダーワイヤケーシングの両方、及び／又は、乳房用カップに配置される、若しくは、乳房用カップの下に配置される、他の支持要素を含んでよい。アンダーバスト支持要素は、様々な方法、例えば、接着剤若しくは糊又は縫製によりブラジャへ取り付けることができる。アンダーワイヤケーシングを含むアンダーバスト支持要素の実施によっては、アンダーワイヤケーシングは織布又は不織布を含んでよく、その最大伸びは約５％未満又は約５％である。
【００５１】
図１は、ブラジャの例１００の、一部が内側部分を示す正面図である。ブラジャ１００は、ブラジャ１００の着用者を部分的に又は完全に包囲するように構成された身ごろ部分１０２を含む。身ごろ部分１０２は、胴体用バンド１０４と一対の乳房用カップ１０６ａ、１０６ｂとを含む。一対の乳房用カップは、第１の乳房用カップ１０６ａ及び第２の乳房用カップ１０６ｂを含む。乳房用カップ１０６ａ及び１０６ｂは、ブラジャを着用すると（着用者の側から見て）外側へ向いて湾曲し、実質的に凹型を呈するように設計され、着用者の乳房を受容しサポートする。図１では、乳房用カップ１０６ａ及び１０６ｂは、平坦面上にある時には実質的に平たく見える。ブラジャを着用すると、乳房用カップ１０６ａ及び１０６ｂは凹型を呈するまで拡がる。ブラジャ１００は、アンダーバスト支持体１０８も含む。アンダーバスト支持体１０８は、図１に示すように第１のアンダーバスト支持体１０８ａと第２のアンダーバスト支持体１０８ｂとを有する。例えば、図１のアンダーバスト支持体１０８は、乳房用カップ１０６ａ及び１０６ｂの下方周辺に隣接して身ごろ部分１０２に取り付けられるアンダーワイヤケーシング１１０を含む。より詳細には、図１は、第１の乳房用カップ１０６ａの下方周辺に隣接する左アンダーワイヤケーシング１１０ａと、第２の乳房用カップ１０６ｂの下方周辺に隣接する右アンダーワイヤケーシング１１０ｂとを示す。本開示では、アンダーバスト支持体１０８が、乳房用カップ１０６ａ及び１０６ｂの下方周辺に隣接して配置されるということは、乳房用カップ１０６ａ及び１０６ｂの下方周辺に隣接して乳房用カップ１０６ａ及び１０６ｂ内に配置されること、乳房用カップ１０６ａ及び１０６ｂの下方周辺に隣接して乳房用カップ１０６ａ及び１０６ｂの下に配置されること、乳房用カップ１０６ａ及び１０６ｂの下方周辺を部分的に又は全体にわたって（例えば、横断して）延在すること、又は、乳房用カップ１０６ａ及び１０６ｂの下方周辺に隣接して他の位置に配置されることを含むことができる。図１のブラジャの例１００では、アンダーバスト支持体１０８は、乳房用カップ１０６ａ及び１０６ｂの下方周辺に隣接して、乳房用カップ１０６ａ及び１０６ｂの下方周辺を縁取って、１０６ａ及び１０６ｂの下に配置されている。
【００５２】
図１のブラジャの例１００は、ブラジャの着用時に着用者の脇下周りに配置されるように構成されたサイドパネル１１２も含む。バックパネル（不図示）は、サイドパネルにつながって胴体を包囲する形のブラジャ１００を形成する。ブラジャ１００は背留め具（不図示）を含んでもよい、及び／又は、ブラジャ１００の背部を、シームレスに丸編みされた衣類のように連続させてもよい。場合によっては、ブラジャ１００はバックレス（背開き）ブラジャであり胴体を包囲する形状を持つが、着用者の胴体を完全には包囲しない。一対の乳房用カップ１０６ａ及び１０６ｂの上端周りで身ごろ部分につながるオプションとしての肩紐１１４は、バックパネルまで延びる。肩紐１１４は、着用すると、少なくとも部分的に着用者の肩をわたって延在し、着用者の肩にかかるブラジャ１００のサポートを少なくとも部分的に分散するように作用する。
【００５３】
実施によっては、アンダーワイヤケーシング１１０は、材料生地でできたチューブを含む。材料生地は、以下に述べるように様々であってよい。例えば、アンダーワイヤケーシング１１０は、ニット生地のチューブ、織り生地のチューブ、ニット生地と織り生地との組合せ、及び／又は他の材料生地であってよい。
【００５４】
アンダーバスト支持体１０８は、図１のブラジャの例１００でのアンダーワイヤケーシング１１０のように、身ごろ部分１０２へ接着剤で接着される。接着剤は、身ごろ部分１０２の材料、アンダーバスト支持体１０８の材料、又は他の要因に基づいて変えることができる。例えば、接着剤は、反応性接着剤、熱硬化性接着剤、熱可塑性樹脂、又は他の種類の接着剤を含んでよい。反応性接着剤は、熱、液体、超音波エネルギー若しくは高周波エネルギー、紫外線(ＵＶ)周波（例えば、ＵＶ光）、特定の物質、及び／又は他の触媒等の触媒の存在に応じて決めることができる。熱硬化性接着剤は、熱、例えば、摂氏１４０度と摂氏１９０度との間、又は摂氏１９０度超の温度に応じて決めることができる。熱可塑性材料は、反応性接着剤又は熱硬化性接着剤と同様に決めることができる。実施例によっては、接着剤は、シリコーン、ポリウレタン、シアノアクリレート、又はこれらの組合せ、及び／又は他のポリマー若しくはエラストマを含む。接着剤は、押し出して、縞状、シート状、水玉状、又は他の模様に塗布してよく、液状又は半液状で塗布してよく、あるいは、身ごろ部分１０２、アンダーバスト支持体１０８、又は、身ごろ部分１０２及びアンダーバスト支持体１０８の両方に塗布してよい。
【００５５】
アンダーバスト支持体１０８は、図１のブラジャの例１００におけるアンダーワイヤケーシング１１０のように、身ごろ部分１０２へ接着剤で取り付けられ、実施によっては、アンダーバスト支持体１０８は、継目、縫合、又は他の機械的な取付けを用いずに、身ごろ部分１０２へ取り付けられる。従来のブラジャによっては、ブラジャへのアンダーワイヤケーシングの縫合により生じる縫い目が、着用者に刺激や不快感を与えることがある。ブラジャの例１００では、アンダーワイヤケーシング１１０と身ごろ部分１０２との縫合をなくすことによって、着用者の快適性を改善し、刺激を減らすことができる。場合によっては、アンダーワイヤケーシング１１０を身ごろ部分１０２に縫い付けるのではなく接着剤を用いると、接着剤の方が縫合よりも柔軟性があるので、アンダーワイヤケーシングへの縫い付けに比べて身ごろ部分１０２及びアンダーワイヤケーシング１１０の動きの自由度を高めることができる。この様に接着剤を用いると、ブラジャ１００と各アンダーワイヤケーシング１１０とを、より良好に着用者の身体にフィットさせることができる。柔軟な接着剤は、アンダーワイヤケーシング１１０と身ごろ部分１０２との間の緩衝材として作用するように用いることができ、アンダーワイヤケーシング１１０がより良好に着用者の身体に倣うことで着用者に快適な着心地をもたらし、より誂え感のある衣類を着用者に提供することができる。縫合されたアンダーワイヤケーシングは、単独で動くことはない。また、アンダーバスト支持体１０８を接着することにより、ブラジャ１００の外観は美しく清潔感がある。
【００５６】
従来の縫製されたワイヤケーシングによっては、アンダーワイヤが突き出てしまうことがしばしばであった。ケーシング内の過剰な遊び又は少なすぎる遊び等の様々な要因により、アンダーワイヤはケーシングに対して動いてしまい、アンダーワイヤがケーシングを突き破る。場合によっては、ワイヤケーシングを衣類に適用する場合に、その組み付けで許容される、アンダーワイヤの先端とワイヤケーシングの終端との間の最小距離は４分の１インチ（６．３５ｍｍ）である。この距離（例えば、遊び）により、アンダーワイヤケーシングの収縮が許容される。場合によっては、ワイヤの遊びが大きすぎると、ケーシングの先端の向きが変わってしまい、着用者に不快感を与える、又は、アンダーワイヤを反転させたり着用者の身体に対して平（フラット）にならなかったりすることがある。ワイヤの遊びが小さすぎると、アンダーワイヤの先端は、ワイヤケーシングを容易に通ることができるが、場合によっては、アンダーワイヤが壊れるほどの圧力がかかり、アンダーワイヤが突き出る原因となる。従来のブラジャには、大きめのスプールに巻かれたケーシングから巻き出したアンダーワイヤケーシングを所望の長さまでブラジャに縫合してから切断するものがある。しかし、アンダーワイヤケーシングをこのように適用すると、縫合時にアンダーワイヤケーシングは伸張され、いつまでもこの伸張された長さの状態にあり、ケーシング及び／又は身ごろ部分に応力を与える。本開示の特定の実施では、アンダーワイヤケーシング１１０を所望の長さに予め成形してから、ブラジャ１００の身ごろ部分１０２に接着する。アンダーワイヤケーシング１１０はアンダーワイヤを含むことができ、一貫した長さに成形することにより、例えば、アンダーワイヤケーシング内でのアンダーワイヤの遊びを一定に保つこと及びより良好に制御することが図れる。
【００５７】
実施によっては、アンダーバスト支持体１０８は、ブラジャ１００の身ごろ部分１０２へ直に取り付けられた（例えば、接着された）１本又は複数本のアンダーワイヤを含む。例えば、アンダーバスト支持体１０８は、第１の乳房用カップ１０６ａの下端周辺に隣接して身ごろ部分１０２に接着された第１のアンダーワイヤと、第２の乳房用カップ１０６ｂの下端周辺に隣接して身ごろ部分１０２に接着された第２のアンダーワイヤとを含んでよい。しかし、１本又は複数本のアンダーワイヤの他の形態及び構成が考えられる。
【００５８】
図１はブラジャの例１００を描いているが、ここでの概念、例えば、衣類に接着されるアンダーバスト支持体に関する概念は、他の種類の衣類に適用できる。例えば、本開示は、ブラジャ、ランジェリ（女性用下着）、スポーツウェア、アクティブウェア、水着、及び他の種類の上胴体用衣類に適用できる。実施例によっては、本開示は、カットソー衣類、ニットトゥシェイプ（knit-to-shape）衣類及び／又は他の衣類に適用できる。
【００５９】
図２Ａは、アンダーワイヤ２０２と、２本のアンダーワイヤケーシングの例２０４とを含むアンダーワイヤ組立体の例２００の正面図である。図２Ｂは、アンダーワイヤケーシングの例２０４内に一部が配置されたアンダーワイヤの例２０２を含むアンダーワイヤ組立体の例２００の正面図である。図３Ａ及び図３Ｂは、アンダーワイヤケーシングの例２０４内に一部が配置されたアンダーワイヤの例２０２を含むアンダーワイヤ組立体の例２００の部分斜視図である。図４は、アンダーワイヤケーシングの例２０４の部分斜視図である。アンダーワイヤケーシングの例２０４は、図１のアンダーワイヤケーシング１１０に類似する。アンダーワイヤケーシング２０４についてここで述べる概念のいくつか若しくはすべてを、図１のアンダーワイヤケーシング１１０に適用できる、又は、それらのいずれの概念も、図１のアンダーワイヤケーシング１１０に適用しなくてもよい、そして、図１のアンダーワイヤケーシング１１０についてここで述べる概念のいくつか若しくはすべてを、アンダーワイヤケーシング２０４に適用できる、又は、それらいずれの概念も、アンダーワイヤケーシング２０４に適用しなくてもよい。
【００６０】
図２Ａ乃至図４を参照すると、アンダーワイヤケーシングの例２０４は、内側生地層２０６及び外側生地層２０８を含む。外側生地層２０８及び内側生地層２０６は、層２０６と層２０８との間にチャネル２１０を画成し、チャネル２１０内にアンダーワイヤ２０２は収まる。アンダーワイヤケーシングの例２０４を衣類（例えば、ブラジャ）に取り付けると、内側生地層２０６は衣類の着用者に面し、外側生地層２０８は衣類やブラジャに面するように、着用者から見て外側に面する。実施によっては、外側生地層２０８は、衣類の内面、例えば、図１の身ごろ部分１０２の内面に接着することができる外面を画成する。特定の実施では、内側生地層２０６は、衣類の着用者の肌に接触するように意図された内面を画成する。アンダーワイヤケーシングの例２０４は多層（複数層）であってもよく、生地や他の材料でできた複数の層を含んでよい。例えば、内側生地層２０６及び外側生地層２０８は、それぞれ１つ又は複数の材料層を含んでよい。内側生地層２０６を形成する材料は、外側生地層２０８を形成する材料と同じであっても異なっていてもよい。内側生地層２０６は、外側生地層２０８と同じ材料及び／若しくは同じ構成を含んでもよく、又は、内側生地層２０６は、外側生地層と異なる材料及び／若しくは異なる構成を含んでもよい。
【００６１】
実施によっては、衣類の内面は緩衝面を含む。例えば、衣類の内面は、緩衝面を生成するために浮き柄を含む。緩衝面は様々な他の形態をとることもできる。例えば、緩衝面は、シリコーン、ポリウレタン、発泡シリコーン、発泡ポリウレタン、バイプライ（bi-ply）生地、及び／又は他の材料が適用された面を含むことができる。緩衝面は着用者に面するように配向され、アンダーワイヤケーシングの機能又は著しい重さを犠牲にせずに、着用者の肌に一層快適な面を提供する。
【００６２】
場合によっては、アンダーワイヤケーシング２０４は、５％未満又は５％の最大伸張、すなわち最大伸びを有する。すなわち、アンダーワイヤケーシングは５％又はそれ未満の破断伸びを有する。アンダーワイヤケーシング２０４は、低伸張性材料、例えば、伸び５％又はそれ未満の織り材料又は編み材料で作製される。実施によっては、アンダーワイヤケーシングは、ナイロン、ポリエステル、及び／又は他の低収縮性材料を含む。低収縮性であることが既知である材料（例えば、ナイロン、ポリエステル、及び／又は他の材料）は、工程での張力が最小になるように構成することができる。１つ又は複数の仕上工程で、固有の基材形成応力を緩和して最終製品又は最終商品に及ぼす効果を最大化することができる。織り構造、編み構造及び／又は不織構造は、工程での応力を最小限にするために特定の１つ又は複数の工程を経るようにしてもよい。
【００６３】
内側生地層２０６及び外側生地層２０８の構成は変えることができる。例えば、アンダーワイヤケーシング２０４は、内側生地層２０６と外側生地層とが互いに連続し、端から端へつながる材料でできた連続チューブであってもよく、アンダーワイヤケーシング２０４は、折り重ねられ端でつながる材料でできたストリップであってもよく、あるいは、アンダーワイヤケーシング２０４は、内側生地層２０６と外側生地層とをそれぞれ形成する材料でできた２個のストリップを含んでもよく、両方の端部は互いにつながれてチューブ状に形成される。実施によっては、内側生地層２０６及び外側生地層２０８は、アンダーワイヤケーシング２０４の内側端２１２で互いにつながれる。内側端２１２は、例えば、湾曲したアンダーワイヤケーシング２０４の内径端であってよい。内側生地層２０６及び外側生地層２０８は、内側端２１２にて様々な方法、例えば、溶接（例えば、超音波溶接）、接着剤、縫合、及び／又は他の方法でつなぐことができる。特定の実施では、内側生地層２０６及び外側生地層２０８は、内側端２１２に対向する、アンダーワイヤケーシング２０４の外側端２１４で連続し、生地材料は外側端で曲がり、内側生地材料２０６及び外側生地材料２０８を少なくとも部分的に形成する。アンダーワイヤケーシングの例２０４では、内側端２１２は、外側端２１４を含むアンダーワイヤケーシング２０４の残部よりも小さい、限られた伸張性又は弾性を有するように溶接、接着、又は縫合される。すなわち、内側端２１２は、伸張性若しくは弾性を全く持たない、又は、伸張性若しくは弾性をほとんど持たない。そして、外側端２１４の伸張の度合い又は弾性は、内側端２１２よりも高い。外側端２１４は相対的に伸張性である一方、内側端は相対的に堅い。有利なことに、この構成は、ケーシングに沿う自然な曲線、例えば、アンダーワイヤの曲線及び／又は着用者のアンダーバスト領域の形状にフィットする曲線、を有するアンダーワイヤケーシングを提供できる。アンダーワイヤケーシングに沿う自然な曲線は、内側端での皺の発生を最小限に抑えることができ、着用者の快適性の向上、アンダーワイヤケーシングの信頼性及び強度の向上（例えば、加工による又は強制による曲線ではなく自然な曲線であるので、アンダーワイヤが突き出てケーシングが破れたり裂けたりすることが少ない）、並びに他の利点を提供できる。
【００６４】
場合によっては、アンダーワイヤ組立体２００を、図１のブラジャ１００のように、衣類に適用する前に形成する。アンダーワイヤケーシング２０４を、溶接、接着、又は他の方法により内側端２１２でつなげることができる。場合によっては、アンダーワイヤケーシング２０４の内側端２１２の溶接又は接着は、熱の適用を含む。内側端２１２で加熱することにより、アンダーワイヤケーシング２０４を収縮、変形、又は変質させて、例えば、アンダーワイヤ２０２や他のアンダーバスト支持体要素の湾曲形状に一層適する自然な曲線を、アンダーワイヤケーシング２０４に提供することができる。
【００６５】
実施によっては、アンダーワイヤ組立体２００はアンダーワイヤケーシング２０４を含み、組み立て後の処理を受けることによりアンダーワイヤケーシングの伸張及び収縮を更に減らすことができる。例えば、アンダーワイヤケーシング２０４は、アンダーワイヤケーシングを固め、アンダーワイヤケーシングの伸張と収縮とを減らすために、粘着フィルム、押し出し、印捺、及び／又は他により付加されたコーティングを含んでよい。これらの組立て後の処理は、例えば、アンダーワイヤケーシングが既に自然な曲線を得ているので、アンダーワイヤケーシングの強度及び剛性を補強し、寿命を延ばし、組立て後の処理は、アンダーバスト支持体要素、アンダーワイヤ、及び／又は、着用者のアンダーバスト領域の形状にフィットするこの自然な曲線を維持することができる。
【００６６】
図５は、方法の例５００、例えばブラジャを組み立てる方法のフローチャートである。ステップ５０２では、ブラジャの身ごろ部分が提供される。身ごろ部分は、第１の乳房用カップと第２の乳房用カップとを含む一対の乳房用カップを含む。ステップ５０４では、アンダーバスト支持体が、一対の乳房用カップの下方周辺に隣接して身ごろ部分に接着される。実施によっては、アンダーバスト支持体を身ごろ部分に接着するステップは、第１の乳房用カップの下方周辺に隣接して第１のアンダーバスト支持体要素を接着するステップと、第２の乳房用カップの下方周辺に隣接して第２のアンダーバスト支持体要素を接着するステップとを含む。特定の実施では、アンダーバスト支持体を身ごろ部分に接着するステップは、アンダーワイヤを身ごろ部分へ直に接着するステップ、例えば、アンダーワイヤケーシングを組み込むことなく接着するステップを含む。他の実施によっては、アンダーバスト支持体を身ごろ部分に接着するステップは、アンダーワイヤケーシングを身ごろ部分に接着するステップを含む。アンダーワイヤケーシングを身ごろ部分に接着するステップは、様々な形態をとってよい。例えば、接着剤は、反応性接着剤、熱硬化性若しくはホットメルト接着剤、熱可塑性樹脂、シリコーン、ポリウレタン、シアノアクリレート、これらの組合せ、及び／又は他の種類の接着剤を含んでよい。
【００６７】
図６は、方法の例６００、例えばブラジャを組み立てる方法のフローチャートである。ステップ６０２では、ブラジャの身ごろ部分が提供される。身ごろ部分は、第１の乳房用カップと第２の乳房用カップとを含む一対の乳房用カップを含む。ステップ６０４では、アンダーワイヤケーシングが、一対の乳房用カップの下方周辺に隣接して身ごろ部分へ取り付けられる。アンダーワイヤケーシングの最大伸張（すなわち伸び）は５％未満又は５％である。つまり、アンダーワイヤケーシングの破断伸びは５％又はそれ未満である。実施によっては、アンダーワイヤケーシングは、外側生地層と内側生地層との間にチャネルを画成する外側生地層と内側生地層とを含む。外側生地層と内側生地層とは、アンダーワイヤケーシングの内側端で取り付けられることができる。内側端は、湾曲したアンダーワイヤケーシングの内径端を含んでよい。特定の実施では、外側生地層と内側生地層の取り付けは、溶接（例えば超音波溶接）、接着剤による接着、縫合、縫製、及び／又は他の方法で内側端にて外側生地層を内側生地層へ取り付ける方法を含む。
【００６８】
いくつかの実施について述べたが、本開示の主旨及び範囲から逸脱することなく様々な改変を行えることが理解されよう。
【図１】
2021503568.tif 000003
【図２】
2021503568.tif 000004
【図３】
2021503568.tif 000005
【図４】
2021503568.tif 000006
【図５】
2021503568.tif 000007
【図６】
2021503568.tif 000008
【国際調査報告】
2021503568.tif 000009
2021503568.tif 000010
2021503568.tif 000011